(57)【要約】【課題】  同一のシリンダ錠を用いて正面扉の厚みが異なる種々の遊技機に対し共用が可能となる遊技機用施錠装置を提供する。【解決手段】  遊技機本体に設けられた正面扉と、正面扉を施解錠する施錠機構部とを有した遊技機において、正面扉の表面に表出するシリンダ錠１１を有し、合鍵による回動操作力を施錠機構部へ伝える遊技機用施錠装置１０であって、シリンダ錠１１の後端面１３に固定された延長パイプ２７と、延長パイプ２７の内周に螺合する雄ネジパイプ４１と、雄ネジパイプ４１の非螺合端を正面扉の背面に固定するフランジ６５と、雄ネジパイプ４１の内部に挿入されシリンダ錠１１の出力軸１５に相対回転不能に固定されるジョイント筒５１と、ジョイント筒５１に相対回転不能に嵌入され且つ軸線方向に摺動自在になって、非嵌入端６１ａがフランジ６５に回動自在に支持されるカム取付軸６１とを備えた。【選択図】      図１
2005073877.tif 000002
【特許請求の範囲】
【請求項１】
遊技機本体に開閉自在に設けられた正面扉と、該正面扉に設けられ回動操作力の入力によって前記遊技機本体に施解錠する施錠機構部とを有した遊技機において、前記正面扉に設けられ鍵穴を前記正面扉の表面に表出させるシリンダ錠を有するとともに、前記鍵穴に挿入された合鍵による回動操作力を前記施錠機構部へ伝達する遊技機用施錠装置であって、
前記シリンダ錠の後端面に同軸で固定され内周に雌ネジの形成された延長パイプと、
該延長パイプの内周に螺合する雄ネジパイプと、
該雄ネジパイプの非螺合端を前記正面扉の背面に固定するフランジと、
前記雄ネジパイプの内部に挿入されシリンダ錠後端面の出力軸に相対回転不能に固定されるジョイント筒と、
該ジョイント筒に相対回転不能に嵌入され且つ軸線方向に摺動自在になるとともに、非嵌入端が前記フランジを貫通して回動自在に支持されるカム取付軸と、
を具備したことを特徴とする遊技機用施錠装置。
【請求項２】
請求項１記載の遊技機用施錠装置において、
前記延長パイプ、前記雄ネジパイプ、前記ジョイント筒及び前記カム取付軸のそれぞれは、
軸線方向の長さが異なる複数種類で形成され、それぞれ任意の長さの一つのものが選択的に用いられることを特徴とする遊技機用施錠装置。
【請求項３】
請求項１又は２記載の遊技機用施錠装置において、
前記雄ネジパイプのネジ部には軸線に沿う方向の係合溝が形成され、
前記延長パイプには軸線直交方向に貫通して前記係合溝に進入する止めネジが螺合されたことを特徴とする遊技機用施錠装置。
【請求項４】
請求項１又は２又は３記載の遊技機用施錠装置において、
前記フランジは、
前記正面扉の種類に応じた複数の異なる形状で形成されて、任意の形状の一つのものが選択的に用いられることを特徴とする遊技機用施錠装置。
【発明の詳細な説明】
【技術分野】
【０００１】
本発明は、遊技機本体に開閉自在な正面扉に設けられる遊技機用施錠装置に関し、さらに詳しくは、異なる厚みの正面扉に対応可能とする改良技術に関する。
【背景技術】
【０００２】
遊技機にはパチンコ台やスロット台があり、さらにこれらの遊技台は、遊技者の好みや製造メーカ等の違いにより多くの種類に分かれる。一般的にこの種の遊技機は、遊技面の形成された正面扉が、遊技媒体の供給・回収機構や遊技動作の制御装置等が備えられた遊技機本体に対して開閉自在に取り付けられる。この正面扉１００は、例えば図７に示す施錠機構部によって遊技機本体１０７の外枠に施解錠される。施錠機構部は、正面扉１００の背面に固定される断面Ｌ字形のベースフレーム１０６と、このベースフレーム１０６に対して上下方向に摺動自在に取り付けられた摺動杆１０５とを有している。摺動杆１０５の上下には一対の係止爪１０４，１０４がリンク機構等により接続され、係止爪１０４，１０４は摺動杆１０５の摺動によって揺動される。
【０００３】
遊技機本体１０７には係止爪１０４，１０４に対応する位置で一対の係止板１０８，１０８が固定されている。図８に示すように、ベースフレーム１０６にはシリンダ錠１０１の後端がフランジ等を介して固定される。シリンダ錠１０１の出力軸１０２にはカム板１０３が固定される。施錠機構部は、正面扉１００が遊技機本体１０７に閉動されると、係止爪１０４，１０４が係止板１０８，１０８に当接し、バネ等の付勢力に抗して係止爪１０４，１０４が係止板１０８，１０８に係止することで、正面扉１００を遊技機本体１０７に施錠する。一方、正面扉１００の表面に表出したシリンダ錠１０１の鍵穴に、合鍵が挿入されて回転操作されると、出力軸１０２に固定されたカム板１０３を介して摺動杆１０５が摺動され、リンク機構によって係止爪１０４，１０４が係止解除方向へ揺動され、正面扉１００が遊技機本体１０７から解錠される。
【０００４】
なお、正面扉１００の表面にはさらに図示しないガラス扉が取り付けられ、ガラス扉は、シリンダ錠１０１が反対回転されることで、正面扉１００に対する施錠が解除される。
【０００５】
ここで、上記したように遊技機は、異なる厚みの正面扉を有した種々のタイプのものに分けられる。例えば図８に示した比較的薄厚の正面扉１００に対し、厚みが厚いスロット台等の正面扉１００Ａに対しては、シリンダ錠１０１の表出端面を、正面扉１００Ａの表面と一致させるため、図８に示したシリンダ錠１０１より全長Ｌの長い図９に示すシリンダ錠１０１を用いることで、厚みの異なる正面扉１００を備えた遊技機への対応を可能としていた。このように、シリンダ錠１０１の全長Ｌによって正面扉１００の厚みの違いを吸収することで、ベースフレーム１０６、摺動杆１０５、係止爪１０４，１０４、リンク機構等によって構成される施錠機構部を、そのまま共用することができた。
【特許文献１】実公昭５８−４５３８号公報
【発明の開示】
【発明が解決しようとする課題】
【０００６】
しかしながら、上記した従来の遊技機用施錠装置では、全長Ｌの異なるシリンダ錠に交換することで正面扉の厚みの異なる遊技機に対応していたため、その種類の数だけ異なる全長のシリンダ錠を揃えなければならず、施錠機構部の中でも特に高価な部材であるシリンダ錠を複数種類持たなければならないことは装置コストを増大させることになった。また、多種類のシリンダ錠を揃えることは部品管理も煩雑となり、効率的な生産への障害にもなりえた。
【０００７】
本発明は上記状況に鑑みてなされたもので、同一のシリンダ錠を用いて正面扉の厚みが異なる種々の遊技機に対し共用が可能となる遊技機用施錠装置を提供することを目的とする。
【課題を解決するための手段】
【０００８】
次に、上記の課題を解決するための手段を、実施の形態に対応する図面を参照して説明する。
この発明の請求項１記載の遊技機用施錠装置１０は、遊技機本体１０７に開閉自在に設けられた正面扉１００と、該正面扉１００に設けられ回動操作力の入力によって前記遊技機本体１０７に施解錠する施錠機構部とを有した遊技機において、前記正面扉１００に設けられ鍵穴を前記正面扉１００の表面に表出させるシリンダ錠１１を有するとともに、前記鍵穴に挿入された合鍵による回動操作力を前記施錠機構部へ伝達する遊技機用施錠装置１０であって、
前記シリンダ錠１１の後端面１３に同軸で固定され内周に雌ネジ３５の形成された延長パイプ２７と、該延長パイプ２７の内周に螺合する雄ネジパイプ４１と、
該雄ネジパイプ４１の非螺合端を前記正面扉１００の背面に固定するフランジ６５と、
前記雄ネジパイプ４１の内部に挿入されシリンダ錠後端面１３の出力軸１５に相対回転不能に固定されるジョイント筒５１と、
該ジョイント筒５１に相対回転不能に嵌入され且つ軸線方向に摺動自在になるとともに、非嵌入端６１ａが前記フランジ６５を貫通して回動自在に支持されるカム取付軸６１と、
を具備したことを特徴とする。
【０００９】
この遊技機用施錠装置１０では、延長パイプ２７と雄ネジパイプ４１が相対回転されることで、延長パイプ２７に対する雄ネジパイプ４１のねじ込み深さが調整される。従って、延長パイプ２７及び雄ネジパイプ４１を介在させて固定したシリンダ錠４１の表出端面と正面扉１００の背面１００ａとの距離Ｌが、ネジ山のピッチ間隔で調整可能となる。また、シリンダ錠１１に固定された延長パイプ２７に雄ネジパイプ４１が螺合され、雄ネジパイプ４１がフランジ６５を介して正面扉１００の背面１００ａに固定される。すなわち、シリンダ錠１１は、螺合により一体となった延長パイプ２７と雄ネジパイプ４１を介してフランジ６５のみによって正面扉１００の背面１００ａに固定され、他の箇所での固定が不要となる。
【００１０】
請求項２記載の遊技機用施錠装置１０は、請求項１記載の遊技機用施錠装置１０において、
前記延長パイプ２７、前記雄ネジパイプ４１、前記ジョイント筒５１及び前記カム取付軸６１のそれぞれは、
軸線方向の長さが異なる複数種類で形成され、それぞれ任意の長さの一つのものが選択的に用いられることを特徴とする。
【００１１】
この遊技機用施錠装置１０では、延長パイプ２７と雄ネジパイプ４１との螺合調整長さによっては吸収できない正面扉１００の厚み差が、異なる長さの延長パイプ２７、雄ネジパイプ４１等を用いることによって吸収可能となる。また、このような長さの異なる複数種類の延長パイプ２７、雄ネジパイプ４１等を揃えておくことで、螺合接続部を所定長以上に確保することが容易となり、螺合調整のみによって長さ調整をした場合に生じる螺合長の極端な減少、例えばネジ山が２〜３山程度でしか螺合していないような状況による螺合接続部の強度低下も防止可能となる。
【００１２】
請求項３記載の遊技機用施錠装置１０は、請求項１又は２記載の遊技機用施錠装置１０において、
前記雄ネジパイプ４１のネジ部４３には軸線に沿う方向の係合溝４５が形成され、
前記延長パイプ２７には軸線直交方向に貫通して前記係合溝４５に進入する止めネジ３７が螺合されたことを特徴とする。
【００１３】
この遊技機用施錠装置１０では、止めネジ３７が緩められることで、延長パイプ２７と雄ネジパイプ４１とが相対回転となり、緩めた止めネジ３７を基準に雄ネジパイプ４１が回転されることで、回転数に応じて延長パイプ２７と雄ネジパイプ４１の螺合長、すなわち、正面扉１００の背面１００ａとシリンダ錠１１の表出端面１１ａとの間隔が、所定長ずつ調整可能となる。例えばネジ山のピッチが１ｍｍであり、正面扉１００の背面１００ａとシリンダ錠１０の表出端面１０ａとの距離が例えば６３ｍｍに初期設定されていれば、止めネジ３７を緩め、止めネジ３７に対して雄ネジパイプ４１を突出方向に１０回転させることで１０ｍｍの突出となり、正面扉１００の背面１００ａとシリンダ錠１１の表出端面１１ａとの間隔が７３ｍｍに設定変更される。
【００１４】
請求項４記載の遊技機用施錠装置１０は、請求項１又は２又は３記載の遊技機用施錠装置１０において、
前記フランジ６５は、
前記正面扉１００の種類に応じた複数の異なる形状で形成されて、任意の形状の一つのものが選択的に用いられることを特徴とする。
【００１５】
この遊技機用施錠装置１０では、上記の構成によって可能となる異種厚の正面扉１００への対応のみならず、正面扉１００の固定部形状に合わせてフランジ６５を選択使用することで、固定部形状が種々に異なる正面扉１００に対しても対応が可能となる。
【発明の効果】
【００１６】
本発明に係る請求項１記載の遊技機用施錠装置によれば、シリンダ錠の後端面に延長パイプが固定され、この延長パイプに螺合された雄ネジパイプの非螺合端がフランジを介して正面扉に固定される。また、連結された延長パイプと雄ネジパイプの内部では、シリンダ錠の出力軸に固定されたジョイント筒に、カム取付軸が軸線方向に摺動自在に嵌入され、このカム取付軸の非嵌入端がフランジを貫通して支持される。このカム取付軸の非嵌入端にはカム板が取り付けられ、カム板は施錠機構部への施解錠力を入力する。従って、延長パイプに対する雄ネジパイプのねじ込み深さを調整することで、正面扉の背面からシリンダ錠の表出端面との距離が、ネジ山のピッチ間隔で調整可能となる。これにより、同一のシリンダ錠を用いて、正面扉の厚みが異なる種々の遊技機に対し、遊技機用施錠装置を共用することができる。また、シリンダ錠に固定された延長パイプに雄ネジパイプが螺合され、雄ネジパイプがフランジを介して正面扉の背面に固定されるので、シリンダ錠を、延長パイプ及び雄ネジパイプを介在させてフランジによって１か所で正面扉に固定することができる。
【００１７】
請求項２記載の遊技機用施錠装置によれば、延長パイプ、雄ネジパイプ、ジョイント筒及びカム取付軸のそれぞれが、異なる長さで形成され、それぞれ任意の長さの一つのものが選択的に用いられるので、延長パイプと雄ネジパイプとの螺合調整長さによっては吸収できない正面扉の厚み差を、異なる長さの延長パイプ、雄ネジパイプ等によって吸収することができるようになり、より広範囲の異種厚の正面扉に対応が可能となる。
【００１８】
請求項３記載の遊技機用施錠装置によれば、雄ネジパイプのネジ部に形成された係合溝に、延長パイプに螺合されて貫通した止めネジが進入可能となるので、止めネジを緩め、緩めた止めネジを基準に雄ネジパイプを回転することで、回転数に応じて延長パイプと雄ネジパイプの螺合長、すなわち、正面扉の背面とシリンダ錠の表出端面との間隔が、所定長ずつ調整可能となる。これにより、厚みが既知の正面扉に対する遊技機用施錠装置の取り付け作業性を高めることができる。
【００１９】
請求項４記載の遊技機用施錠装置によれば、フランジが正面扉の固定部形状に合わせて複数の異なる形状で形成され、任意の形状の一つのものが選択的に用いられるので、正面扉の厚みのみならず、正面扉の固定部形状の違いに対しても対応が可能となり、より多種の遊技機への取付けを可能にすることができる。
【発明を実施するための最良の形態】
【００２０】
以下、本発明に係る遊技機用施錠装置の好適な実施の形態を図面を参照して詳細に説明する。
図１は本発明に係る遊技機用施錠装置の分解斜視図、図２は図１に示した遊技機用施錠装置の一部を切欠いた側面図、図３は螺合長によって全長を調整する場合の動作説明図、図４は異なる全長のシリンダ錠取り付け部材のバリエーションを表した説明図、図５は長さの異なる部材を用いて全長を調整する場合の動作説明図、図６は異なる形状のフランジを表した斜視図である。
【００２１】
本実施の形態による遊技機用施錠装置１０は、遊技機本体に開閉自在となった正面扉に取り付けられる。正面扉は、上記したように種々の厚みのものからなる。本実施の形態による遊技機用施錠装置１０は、一種類のシリンダ錠のままで、この種々の厚みの正面扉への取付けを可能とするものである。
【００２２】
シリンダ錠１１の後端面１３には出力軸であるテールピース１５が突出され、テールピース１５はシリンダ錠１１の鍵穴に挿入された合鍵の回動操作に連動して回動される。テールピース１５は、後端面にネジ孔１７が形成されるともに、側面に一対の平行な当接面１９が形成されている。シリンダ錠１１の後部外周の上下には一対の固定部２１，２３が突設され、それぞれの固定部２１，２３には一対のネジ孔２５，２５が形成されている。このシリンダ錠１１の後端面１３には延長パイプ２７が取り付け固定される。
【００２３】
延長パイプ２７は、シリンダ錠１１との固定側となる一端側に、取付板２９が上下に設けられ、それぞれの取付板２９，２９には一対のビス挿通孔３１，３１が穿設されている。延長パイプ２７は、取付板２９のビス挿通孔３１に挿通したビス３３を、シリンダ錠１１の固定部２１，２３のネジ孔２５に螺合することで、シリンダ錠１１の後端面１３に螺着される。延長パイプ２７の内周には雌ネジ３５が形成されている。また、延長パイプ２７の側面には、軸線直交方向に貫通する一対の止めネジ３７，３７が、軸線に沿う方向に並んで螺合されている。この延長パイプ２７の雌ネジ３５には雄ネジパイプ４１が螺合される。
【００２４】
雄ネジパイプ４１は、外周に形成されたネジ部４３を、延長パイプ２７の雌ネジ３５に螺合することで、延長パイプ２７に連結される。雄ネジパイプ４１のネジ部４３には、軸線に沿う方向の係合溝４５が形成され、この係合溝４５には延長パイプ２７の側部に螺合された止めネジ３７，３７が進入するようになっている。雄ネジパイプ４１の非螺合端には鍔部４７が形成され、鍔部４７には上下一対ずつのネジ孔４９，４９が形成されている。
【００２５】
シリンダ錠１１のテールピース１５にはジョイント筒５１が外嵌される。ジョイント筒５１のテールピース１５側の内周には図示しない一対の平行面が形成され、この平行面がテールピース１５の当接面１９に当接することで、ジョイント筒５１は、テールピース１５に対して相対回転不能となる。さらに、ジョイント筒５１の内部には図２に示す座部５３が形成され、ジョイント筒５１は、内部に挿入されたビス５５がこの座部５３に締付けられることでテールピース１５に螺着されるようになっている。
【００２６】
ジョイント筒５１の内部には、軸線方向に沿った一対の溝５７，５７が形成されている。ジョイント筒５１にはカム取付軸６１の一端が挿入され、カム取付軸６１は一端の外周に一対の突起６３，６３を有し、この突起６３，６３をジョイント筒５１の溝５７，５７に挿入することで、ジョイント筒５１との相対回転を阻止しつつ、軸線方向に摺動可能となって嵌入している。
【００２７】
雄ネジパイプ４１の鍔部４７にはフランジ６５が取付けられる。フランジ６５にはカム取付軸６１の非嵌入端６１ａを回動自在に支持して貫通させる軸受穴６６と、この軸受穴６６を包囲して穿設された二対のビス挿通孔６７，６７が形成されている。さらに、フランジ６５の上下部には、このフランジ６５を正面扉１００の背面（以下、「シリンダ錠取付面」とも称す。）１００ａに固定するための複数のビス穴６９，７１，７３，７５が穿設されている。フランジ６５は、ビス挿通孔６７，６７に挿通したビス７７を雄ネジパイプ４１の鍔部４７に螺合することで雄ネジパイプ４１に螺着される。
【００２８】
また、ジョイント筒５１に嵌入したカム取付軸６１は、非嵌入端６１ａに形成された鍔７９が、雄ネジパイプ４１とフランジ６５との間で形成される図２に示す収容部８１によって回動自在に支持され且つ抜脱が規制されている。
【００２９】
カム取付軸６１の非嵌入端６１ａは、テールピース１５と同形状に形成され、この非嵌入端６１ａには図７に示したカム板１０３がビス固定される。すなわち、カム取付軸６１によって回動されるカム板１０３によって、正面扉１００に設けられた施錠機構部へ回動操作力が入力されるようになっている。
【００３０】
従って、この遊技機用施錠装置１０によれば、延長パイプ２７と雄ネジパイプ４１が相対回転されることで、図３に示すように、延長パイプ２７に対する雄ネジパイプ４１のねじ込み深さＳが調整される。従って、延長パイプ２７及び雄ネジパイプ４１を介在させて固定したシリンダ錠１１の表出端面１１ａと正面扉１００の背面１００ａとの距離Ｌが、ネジ山のピッチ間隔で調整可能となる。また、シリンダ錠１１に固定された延長パイプ２７に雄ネジパイプ４１が螺合され、雄ネジパイプ４１がフランジ６５を介して正面扉１００の背面１００ａに固定される。すなわち、シリンダ錠１１は、螺合により一体となった延長パイプ２７と雄ネジパイプ４１を介してフランジ６５のみによって正面扉１００の背面１００ａに固定され、他の箇所での固定が不要となる。
【００３１】
そして、延長パイプ２７に螺合した止めネジ３７，３７が緩められることで、延長パイプ２７と雄ネジパイプ４１とが相対回転となり、緩めた止めネジ３７，３７を基準に雄ネジパイプ４１が回転されることで、回転数に応じて延長パイプ２７と雄ネジパイプ４１の螺合長、すなわち、正面扉１００の背面１００ａとシリンダ錠１１の表出端面１１ａとの間隔Ｌが、所定長ずつ調整可能となる。例えば、ネジ山のピッチが１ｍｍであり、正面扉１００の背面１００ａとシリンダ錠１１の表出端面１１ａとの距離Ｌが６３ｍｍに初期設定されていれば、止めネジ３７，３７を緩め、止めネジ３７，３７に対して雄ネジパイプ４１を突出方向に１０回転させれば、正面扉１００の背面１００ａとシリンダ錠１１の表出端面１１ａとの間隔が７３ｍｍに設定変更されることになる。
【００３２】
また、遊技機用施錠装置１０は、延長パイプ２７、雄ネジパイプ４１、ジョイント筒５１及びカム取付軸６１のそれぞれを、軸線方向の長さが異なる複数種類で形成し、それぞれ任意の長さの一つのものを選択的に用いるものであってもよい。例えば図４に示すように、長い延長パイプ２７Ｌ、雄ネジパイプ４１Ｌ、ジョイント筒５１Ｌ及びカム取付軸６１Ｌと、中程度の延長パイプ２７Ｍ、雄ネジパイプ４１Ｍ、ジョイント筒５１Ｍ及びカム取付軸６１Ｍと、短い延長パイプ２７Ｓ、雄ネジパイプ４１Ｓ、ジョイント筒５１Ｓ及びカム取付軸６１Ｓとから構成される３組の長中短セットを用意しておき、正面扉１００の厚みに合わせてこのセットの中から任意のセットを用いるようにしてもよい。例えば図５に示すように、シリンダ錠１１に延長パイプ２７Ｌ、雄ネジパイプ４１Ｌ、ジョイント筒５１Ｌ及びカム取付軸６１Ｌを取付けた場合と、シリンダ錠１１に延長パイプ２７Ｓ、雄ネジパイプ４１Ｓ、ジョイント筒５１Ｓ及びカム取付軸６１Ｓとを取付けた場合では、延長パイプ２７Ｌの長さＫと、延長パイプ２７Ｓの長さＮの差（Ｋ−Ｎ）分、シリンダ錠１１の表出端面１１ａと正面扉１００の背面１００ａとの距離Ｌが、短縮可能となる。なお、この際、異なるセットから任意の部材を選択するものであってもよい。
【００３３】
このように、延長パイプ２７、雄ネジパイプ４１、ジョイント筒５１及びカム取付軸６１のそれぞれを、長さが異なる複数種類で形成し、それぞれ任意の長さの一つのものを選択的に用いることで、延長パイプ２７と雄ネジパイプ４１との螺合調整長さによっては吸収できない正面扉１００の厚み差が、異なる長さの延長パイプ２７、雄ネジパイプ４１等を用いることによって吸収可能となる。また、このような長さの異なる複数種類の延長パイプ２７、雄ネジパイプ４１等を揃えておくことで、螺合接続部を所定長以上に確保することが容易となり、螺合調整のみによって長さ調整をした場合に生じる螺合長の極端な減少（例えばネジ山が２〜３山程度でしか螺合していないような状況）による螺合接続部の強度低下も防止可能となる。
【００３４】
さらに、フランジ６５は、図６に示すように、正面扉１００の種類に応じた複数の異なる形状のもの６５，６５Ａ，６５Ｂで形成されて、任意の形状の一つのものが選択的に用いられるものであってもよい。なお、図中、８５，８７，８９，９１，９３は、異なる正面扉に対応した固有のビス穴である。
従って、このようなフランジ６５，６５Ａ，６５Ｂを揃えておくことで、上記の構成によって可能となる異種厚の正面扉への対応のみならず、正面扉の固定部形状に合わせてフランジ６５，６５Ａ，６５Ｂを選択使用することで、固定部形状が種々に異なる正面扉に対しても対応が可能となる。
【図面の簡単な説明】
【００３５】
【図１】本発明に係る遊技機用施錠装置の分解斜視図である。
【図２】図１に示した遊技機用施錠装置の一部を切欠いた側面図である。
【図３】螺合長によって全長を調整する場合の動作説明図である。
【図４】異なる全長のシリンダ錠取り付け部材のバリエーションを表した説明図である。
【図５】長さの異なる部材を用いて全長を調整する場合の動作説明図である。
【図６】異なる形状のフランジを表した斜視図である。
【図７】施錠機構部が設けられた正面扉の背面斜視図である。
【図８】図７におけるＦ方向の矢視図である。
【図９】異なる全長のシリンダ錠が用いられる従来の遊技機用施錠装置の要部側面図である。
【符号の説明】
【００３６】
１０…遊技機用施錠装置
１１…シリンダ錠
１３…シリンダ錠の後端面
１５…出力軸（テールピース）
２７…延長パイプ
３５…雌ネジ
３７…止めネジ
４１…雄ネジパイプ
４３…ネジ部
４５…係合溝
５１…ジョイント筒
６１…カム取付軸
６１ａ…非嵌入端
６５…フランジ
１００…正面扉
１００ａ…正面扉の背面
１０７…遊技機本体
【図１】
2005073877.tif 000003
【図２】
2005073877.tif 000004
【図３】
2005073877.tif 000005
【図４】
2005073877.tif 000006
【図５】
2005073877.tif 000007
【図６】
2005073877.tif 000008
【図７】
2005073877.tif 000009
【図８】
2005073877.tif 000010
【図９】
2005073877.tif 000011